(57)【特許請求の範囲】
【請求項１】
建築現場等において使用される足場用建枠又はパイプの端部に取着されて足場用建枠又はパイプ同士を連結するための連結装置であって、この連結装置は管状部材の内部に係止突部を有する係止金具が、その係止突部を前記管状部材の側面に設けた貫通孔より外方に突出する状態に配置されるとともに、前記係止金具を係止突部の突出方向に付勢するバネ部材が内蔵される一方、前記係止金具は前記管状部材に対向して設けた支持孔に貫通状態に支持された操作杆に係合されるとともに、前記操作杆の上面にはこの操作杆の先部を前記管状部材の外部から押圧するのと相俟って前記係止金具の係止突部を前記バネ部材の付勢に抗して没入させた際に、一方の前記支持孔の内側上部の縁部に係合して前記係止突部の没入状態を保持させる係合段部が形成され、前記先部には操作杆が押圧状態のときに前記管状部材の外側面に当接する係合片が設けられ、この係合片は連結しようとする前記足場用建枠又はパイプの下部が前記管状部材に挿入された際にその先端で押圧されて前記係合段部の係合状態を解除して、前記係止金具の係止突部を突出させて前記足場用建枠又はパイプの下部に設けた係止部に係止させるように形成したことを特徴とする足場用建枠又はパイプ等の連結装置。
【発明の詳細な説明】
【０００１】
【発明の属する技術分野】
本発明は足場用建枠又はパイプ等の連結装置、詳しくは建築現場等において使用される足場用建枠又はパイプを連結し乍ら順次上方に組み立てていくのに最適な足場用建枠又はパイプ等の連結装置に関する。
【０００２】
【従来の技術】
足場用建枠又はパイプを順次上方に組み立てていくには、この足場用建枠又はパイプを連結するための連結手段が必要であった。そして、このような連結手段として従来はパイプ状の連結金具が用いられていた。この連結金具は上下の足場用建枠又はパイプ間に介在させるとともに、連結金具を所定の角度回転させることによって足場用建枠又はパイプと連結金具とに設けた係合部と係合受部とを互いに係合させて上下の足場用建枠又はパイプを連結するようにしていた。
【０００３】
【発明が解決しようとする課題】
然し乍ら、このような連結金具にあっては足場用建枠又はパイプを順次上方に組み立てていく際、或いは解体する際に作業する人が屈んで連結金具に手を触れて回転させる必要があり、面倒であるとともに作業能率が悪いという問題点があった。
【０００４】
本発明は上記問題点を解決し、特に足場用建枠又はパイプを連結して順次上方に組み立てていく際、或いは解体する際に作業する人が立ったままの状態でその作業を簡単に能率よく行なうことができる足場用建枠又はパイプ等の連結装置を提案することをその課題とする。
【０００５】
【課題を解決するための手段】
前記課題を解決するための手段として、本発明に係る足場用建枠又はパイプ等の連結装置は、建築現場等において使用される足場用建枠又はパイプの端部に取着されて足場用建枠又はパイプ同士を連結するための連結装置であって、この連結装置は管状部材の内部に係止突部を有する係止金具が、その係止突部を前記管状部材の側面に設けた貫通孔より外方に突出する状態に配置されるとともに、前記係止金具を係止突部の突出方向に付勢するバネ部材が内蔵される一方、前記係止金具は前記管状部材に対向して設けた支持孔に貫通状態に支持された操作杆に係合されるとともに、前記操作杆の上面にはこの操作杆の先部を前記管状部材の外部から押圧するのと相俟って前記係止金具の係止突部を前記バネ部材の付勢に抗して没入させた際に、一方の前記支持孔の内側上部の縁部に係合して前記係止突部の没入状態を保持させる係合段部が形成され、前記先部には操作杆が押圧状態のときに前記管状部材の外側面に当接する係合片が設けられ、この係合片は連結しようとする前記足場用建枠又はパイプの下部が前記管状部材に挿入された際にその先端で押圧されて前記係合段部の係合状態を解除して、前記係止金具の係止突部を突出させて前記足場用建枠又はパイプの下部に設けた係止部に係止させるように形成したことを特徴とする。
【０００６】
【発明の実施の形態】
以下、図面によって本発明の実施の形態の一例について説明する。
【０００７】
図１において、符号１は本発明に係る足場用建枠又はパイプ等の連結装置を示し、この連結装置１は管状部材２の内部中央の稍上方に係止突部３を有する係止金具４が配置されるとともに、この係止金具４の係止突部３は前記管状部材２の側面に設けた貫通孔５から出没可能に設けられている。また、前記係止金具４の付近の前記管状部材２の内部にはこの係止金具４を係止突部３の突出方向に付勢する板状で逆略Ｕ字状を有するバネ部６が内蔵されており、このバネ部材６の一端は前記係止金具４の上部に設けた凸部７をかしめることによって固定され、他端の折曲げ部は前記管状部材２の側面に設けた係止孔８に挿入係止されている。
【０００８】
なお、バネ部材６の一端を係止金具４の上部に固定する場合に、例えばビスを介して固定したり、或いは溶着したりしてもよい。
【０００９】
係止金具４の下部付近には操作杆１０が配置されるとともに、この操作杆１０は管状部材２の中央部の両側面に対向して設けられた支持孔１１に貫通状態に支持されている。また、前記操作杆１０の略中央の上部には凹部１２が形成され、且つこの凹部１２の両側面１２ａ、１２ｂは右方向から左方向にかけて傾斜状を有している。そして、前記操作杆１０の凹部１２内には前記係止金具４の先端が位置されるとともに、この先端の前部には一方の前記側面１２ａと対応し且つ係合し合う傾斜状の係合面４ａが形成されている。
【００１０】
次に、管状部材２の側部から突出した操作杆１０の先端には押圧片１５が取着されるとともに、後部には前記操作杆１０が前記管状部材２から抜脱するのを防止するためのピン状のストッパ−部材１６が取着されている。また、前記押圧片１５の裏側には操作杆１０が押圧状態のときに前記管状部材２の外側面に当接する弾性を有する係合片１７が押圧片１５に設けた凸部１７ａをかしめることによって固定されている。さらに、前記操作杆１０の上面にはこの操作杆１０を押圧片１５を介して押圧するのと相俟って係止金具４の係止突部３をバネ部材６の付勢に抗して没入させた際に、一方の支持孔１１の内側上部の縁部１１ａに係合して前記係止突部３の没入状態を保持させる係合段部１０ａが形成されている。
【００１１】
符号１８は管状部材２の下部の両側面に対向して形成されたボルト孔を示し、このボルト孔１８は前記管状部材２を足場用縦枠２０の左右の縦パイプ２１の上部に挿嵌したときに前記左右の縦パイプ２１の上部の両側面に設けたボルト孔２４に対応するように設けられている。
【００１２】
足場用建枠又はパイプ等の連結装置１は上述のように構成されているので、その使用にあたっては、図４に示すように足場用建枠２０を連結する場合について説明する。先ず、足場用建枠２０の左右の縦パイプ２１の上部に連結装置１の管状部材２の下部２ａを挿入した後、ボルト及びナットからなる固定具２２によって前記管状部材２を左右の縦パイプ２１に固定する。次に、管状部材２の上部２ｂに連結しようとする別の足場用建枠２０ａの左右の縦パイプ２３の下部を挿入することで、この別の足場用建枠２０ａと前記足場用建枠２０とが連結装置１を介して連結される。
【００１３】
なお、固定具２２はボルト及びナットに限るものではなく、例えば止めピン等であってもよい。
【００１４】
ところで、上記において別の足場用建枠２０ａの左右の縦パイプ２３の下部を足場用建枠２０の左右の縦パイプ２１の上部に固定された連結装置１の管状部材２の上部２ｂに連結しようとするときに、図１に示すように連結装置１の操作杆１０が没入状態の場合は、前記管状部材２の上部２ｂに挿入してくる前記別の足場用建枠２０ａの左右の縦パイプ２３の下部先端によって前記操作杆１０の先端に設けた押圧片１５の裏側に取着された係合片１６が下方に押圧され、これによって、操作杆１０の上面に設けた係合段部１０ａが前記管状部材２の両側面に設けた支持孔１１の内の一方の支持孔１１の内側上部の縁部１１ａから外れ、前記操作杆１０は係止金具４を介してバネ部材６の付勢によって突出されるのと同時に前記係止金具４の係止突部３は管状部材２の側面に設けた貫通孔５から突出され、前記縦パイプ２３の下部側面に設けた貫通孔（係止部）２５に係合され、前記足場用建枠２０、２０ａが連結される。
【００１５】
また、図２に示すように連結装置１の操作杆１０が突出状態の場合は、管状部材２の上部２ｂに挿入してくる別の足場用建枠２０ａの左右の縦パイプ２３の下部先端によって係止金具４の係止突部３がバネ部材６の付勢に抗して管状部材２の側面に設けた貫通孔５に没入され、さらに前記縦パイプ２３が挿入されて前記貫通孔５とこの縦パイプ２３の下部側面に設けた貫通孔２５とが対応したときに、前記係止金具４の係止突部３はバネ部材６の付勢によって前記貫通孔５から突出され、前記縦パイプ２３の下部側面に設けた貫通孔（係止部）２５に係合され、前記足場用建枠２０、２０ａが連結される。
【００１６】
上述のように足場用建枠又はパイプ等の連結装置１によれば、足場用建枠２０、２０ａを連結するときに、一方の足場用建枠２０の左右の縦パイプ２１、２１の上部に固定されている連結装置１の係止金具４の係止突部３が管状部材２の側面に設けた貫通孔５から突出された状態であっても、或いは前記係止金具４がバネ部材６の付勢に抗して操作杆１０によって押圧され、前記係止金具４の係止突部３が管状部材２の側面に設けた貫通孔５に没入された状態であっても、他方の足場用建枠２０ａの左右の縦パイプ２３、２３の下部を前記管状部材２の上部２ｂに挿入するだけで両足場用建枠を簡単に連結し組み立てることができる。
【００１７】
また、連結し組み立てられた足場用建枠２０、２０ａ同士を解体するときには、連結装置の操作杆１０の押圧片１５を足で蹴ってこの押圧片１５を没入させるだけで簡単に連結を解除することができる。
【００１８】
このように足場用建枠２０、２０ａを順次上方に組み立てていく際、或いは解体する際に作業する人が立ったままの状態でその作業を簡単に能率よく行なうことができるのに加え、連結装置１の係止金具４の係止突部３が管状部材２の側面に設けた貫通孔５から突出された状態、又は没入された状態のどちらであっても前記連結装置１に手を触れることなく連結を行なうことができるので便利である。
【００１９】
次に、図５は足場用建枠又はパイプ等の連結装置１の他の例を示すもので、この例においては管状部材２の両側面の上下方向に少しずれた位置に設けた係止孔２７に前記管状部材２の内径より少し長めの可動片２８が傾斜状態に支持されている。そして、前記可動片２８はコイルバネ部材２９によって常に上方に付勢されているために、この可動片２８の一端２８ａは前記管状部材２の両側面に設けた係止孔２７の内の下方に位置するから係止孔２７から突出されている。
【００２０】
可動片２８の両端近傍の両側面にはこの可動片２８が係止孔２７から抜け落ちるのを防ぐための段部３０が形成されている。なお、可動片２８の一端２８ａは鋸歯状に形成するのが好ましい。
【００２１】
上記において別の足場用建枠２０ａの左右の縦パイプ２３の下部を足場用建枠２０の左右の縦パイプ２１の上部に固定された連結装置１の管状部材２の上部２ｂに連結しようとするときに、この管状部材２の上部２ｂに挿入してくる別の足場用建枠２０ａの左右の縦パイプ２３の下部先端によって可動片２８の突出されている一端２８ａが下方におされてコイルバネ部材６の付勢に抗して管状部材２の側面に設けた係止孔２７に没入され、さらに前記縦パイプ２３が挿入されて前記上部２ｂに挿嵌されることで前記足場用建枠２０、２０ａが連結される。
【００２２】
足場用建枠２０、２０ａが連結状態において、足場用建枠２０ａの縦パイプ２３に管状部材２の上部２ｂから抜脱する力が働いたときに、管状部材２内に傾斜状態に配され支持されている可動片２８の一端２８ａが縦パイプ２３の内周面（係止部）２３ａに強く引っ掛かってストッパ−の役目を果たすため、これによって、抜脱を防止することができる。
【００２３】
また、連結し組み立てられた足場用建枠２０、２０ａ同士を解体するときには、連結装置の操作杆１０の押圧片１５を足で蹴ってこの押圧片１５を没入させるだけで縦パイプ２３の内周面に引っ掛かっている可動片２８の一端２８ａを外すことができ、これによって、簡単に連結を解除することができる。
【００２４】
なお、この例において図１乃至図４と同符号は同部材を示もので、その説明は省略する。
【００２５】
【発明の効果】
前記構成のように、本発明に係る足場用建枠又はパイプ等の連結装置によれば、足場用建枠を連結して順次上方に組み立てていく際、或いは解体する際に作業する人が立ったままの状態でその作業を簡単に能率よく行なうことができる。
【図面の簡単な説明】
【図１】本発明に係る足場用建枠又はパイプ等の連結装置において、係止金具の係止突部が管状部材の側面に設けた貫通孔に没入された状態での連結過程を示す断面説明図
【図２】前記連結装置において、係止金具の係止突部が管状部材の側面に設けた貫通孔から突出された状態での連結過程を示す断面説明図
【図３】ａ、ｂは係止金具とバネ部材と操作杆との関係を示す正面図及び側面図
【図４】足場用建枠同士の連結過程を示す使用説明図
【図５】前記連結装置の他の例を示す使用説明図
【図６】図５の要部平面図
【符号の説明】
１  連結装置
２  管状部材
３  係止突部
４  係止金具
５  貫通孔
６  バネ部材
１０  操作杆
１０ａ  係合段部
１１  支持孔
１１ａ  縁部
１６  係合片
２０、２０ａ  足場用建枠
２５  貫通孔（係止部）
【図１】
0003878279.tif 000002
【図２】
0003878279.tif 000003
【図３】
0003878279.tif 000004
【図４】
0003878279.tif 000005
【図５】
0003878279.tif 000006
【図６】
0003878279.tif 000007